(57)【要約】【課題】どのような作業機械に対しても、外部からタンク給油口にアクセスできるアクセス部を、きわめて容易に形成することのできる、汎用性のある器具を提供しようとする【解決手段】作業機械のカバーの任意箇所に形成される切込穴に、その窪み部3が嵌め込まれる凹状体1からなる。そして、凹状体開口周縁の当接部5を弾性部材で構成し、そこに前記切込穴周縁が嵌り込む嵌合溝5aが形成される。また窪み部3の窪み面の任意の一部に、タンク給油口が突出自在となる差口4が形成される。【選択図】図１
2009018637.tif 000002
【特許請求の範囲】
【請求項１】
本体が、作業機械のカバーの任意箇所に形成される切込穴に、その窪み部が嵌め込まれる凹状体からなり、少なくとも前記切込穴周縁に当接する凹状体開口外縁を弾性部材で構成しつつ、その当接部に前記切込穴周縁が嵌り込む嵌合溝が形成され、前記窪み部内の窪み面の任意の一部に、タンク給油口が突出自在となる差口が形成されることを特徴とする給油口アクセス部用形成器具。
【発明の詳細な説明】
【技術分野】
【０００１】
この発明は、タンク給油口に外部からアクセスするためのアクセス部を形成するための器具に関する。
【背景技術】
【０００２】
油圧ショベル等の作業機械には、作動油タンクや燃料タンク等のタンクが配置されている。そして、これらタンクの給油スタイルは、そのアクセス部の形態によって次の２通りのタイプとなる。その１は、図２に示すように、給油口7が、カバー8に設けられた差口9からカバー外に露出する形態によるもので、給油時には、外部に露出している給油口7の蓋を外してそこから給油するスタイルとなる（他の例として、例えば特許文献１がある）。その２は、給油口が機体カバー内に位置する形態によるもので、この形態では、給油口の前のカバーが開閉自在な機構のドアとなっていて、給油時にはそのカバーを開けて給油を行うスタイルとなる（特に図示しないが、例えば特許文献２がある）。
【０００３】
【特許文献１】特開２００５−８８７８３（図４）
【特許文献２】特開２００４−２９９４１４（図１）
【特許文献３】特開２００３−２１１９８３（図９）
【発明の開示】
【発明が解決しようとする課題】
【０００４】
前記した２つのアクセス部のタイプのうち、前者の形態（外部アクセス型）は、給油時のアクセスがきわめて容易となる反面、給油口7の差口9を設けた部分的なカバー8aを新たに作成する必要がある。しかも、給油口7が外部に露出する構造なので、それが外部との干渉を避ける必要があり、それを考慮すると、差口9を形成するカバー部8aを他のカバー8面から内側に窪ませる必要もあった。したがって、このタイプでは、周囲のカバー8とは別に、そのアクセス部となるカバー部8aの加工を施す必要があり、また固定手段（ボルトナット等）も必要となっていた。しかも、カバー部8aを周囲のカバー8に合わせて加工するので、そのアクセス部はカバー形状が同一の機種にしか用いることができず、汎用性に欠けるという問題があった。
【０００５】
一方、後者の形態（内部アクセス型）は、前面のカバーを開閉自在な機構とすればよいだけなので、それほどコストがかかる構造ではないが、その反面、給油時に一々カバーを開け閉めする煩雑さがともなう。また、タンクの下にバッテリや電装品等の器機が配置されていると、給油時に垂れた油がかかってしまうおそれもあった。
【０００６】
そこで、このタイプ２の場合は、後付ではあるが、カバーのうち給油口の前面となるカバー部分に穴を開けて外部から給油口にアクセスするような改良も検討されている。例えば、給油口より一回り大きい穴をカバーに開け、そこに開閉自在な蓋体（アクセスカバー）を配置する構造である（特許文献３にも同様の構造が示される）。しかし、このような蓋体は、取り付けるカバー部が曲面であると、その曲面に沿った形状とする必要があるほか、蓋体を閉じたときに穴との間に隙間が生じると見栄えが悪くなるので、その隙間がないように設計する必要があり、型を製造する手間が余計にかかるものとなる。しかも、そのような型は、任意のカバー部の曲面や穴の隙間を考慮したうえで作成されるので、そこから得られる蓋体は、他のカバー部に利用することが困難となる。また、カバーの素材が樹脂製であると、蓋体用のヒンジなどの取付が困難となるという問題もある。
【０００７】
この発明は、従来技術の以上のような問題に鑑み創案されたもので、どのような作業機械に対しても、外部からタンク給油口にアクセスできるアクセス部を、きわめて容易に形成することのできる、汎用性のある器具を提供しようとするものである。
【課題を解決するための手段】
【０００８】
このため、この発明に係る給油口アクセス部用形成器具は、本体が、作業機械のカバーの任意箇所に形成される切込穴に、その窪み部が嵌め込まれる凹状体からなり、少なくとも前記切込穴周縁に当接する凹状体開口外縁を弾性部材で構成しつつ、その当接部に前記切込穴周縁が嵌り込む嵌合溝が形成され、前記窪み部内の窪み面の任意の一部に、タンク給油口が突出自在となる差口が形成されることを特徴とする。
【０００９】
本発明に係る器具を用いて給油口アクセス部を形成する際は、アクセス部を形成しようとする作業機械の任意のカバー部分（一般的にはタンク給油口前面のカバー部分）に、器具本体を構成する凹状体の開口周縁と同一形状の切込穴を開けておく。該切込穴は、前記凹状体の開口周縁の形状と一致させることを要するが、後述するように、凹状体開口周縁の当接部（嵌合部でもある）は弾性部材で構成されており、柔軟に切込穴との嵌合が行われるので、形状を一致させる精度もそれほど厳密でなくても良い。その切込穴に、凹状体の窪み部から嵌め込んでいくと、凹状体開口外縁の当接部が切り込み穴の周縁と当接するので、そこでさらに力を加えて、前記当接部の嵌合溝に、切り込み穴の周縁を嵌め込み、両者を嵌合させる。嵌合溝が設けられる当接部は弾性部材で形成されているので、嵌め込み時に適宜溝を変形させながら容易に切込穴の周縁を溝に嵌め込むことができる。この状態で、窪み部内の任意の窪み面に形成される差口からタンク給油口（給油口とタンク本体とを結ぶフィラチューブと一緒でも良い）を突出させればアクセス部は完成する。
【発明の効果】
【００１０】
以上のように、本発明によれば、任意のカバー部分に所定の切込穴を開ければ、そこに器具本体である凹状体を嵌め込んでいくだけでアクセス部が形成でき、その形成工程がきわめて容易なものとなる。しかも、カバーに開ける切込穴の精度もそれほど厳密でなくてもよいので、その穿設工程もきわめて簡易な作業で済む。さらに、器具の形成も簡易であり、器具製造コスト及びアクセス部形成コストのいずれも廉価で済む。
【００１１】
また、凹状体によってアクセス部が形成されるので、器具をカバー部の形状に合わせて製造する必要もなく、このため、本発明に係る器具を用いれば、どのような形状のカバー部分であっても、ひいてはどのような作業機械のカバーであっても、凹状体の開口周縁のサイズに合わせた切り込み穴を開けるだけでアクセス部が形成でき、既に稼働中の作業機械にも後付で外部からのアクセス部を容易に形成できる。すなわち、本発明に係る器具は、きわめて汎用性のある器具となっている。
【００１２】
さらに、器具が切り込み穴を塞ぐように嵌合するので、アクセス部となるカバー部分に隙間が生じることもなく、外観上違和感も生じない。しかも、差口が窪み面に形成されていて、そこから突出する給油口も窪み部内に収めることができ、外部と干渉することもない。
【発明を実施するための最良の形態】
【００１３】
本発明に係る具体的形態の一例を図１に基づき説明する。図１(a)は器具を開口上部から見た図、(b)は前図の形態を側方から見た図、(c)は油圧ショベルのカバーに器具が取り付けられた状態図である。なお、以下の例は小型油圧ショベルにおける燃料タンクの給油口のアクセス部を形成する例であるが、これを他の作業機械やタンクに適用してももちろん良い。
【００１４】
図示のように、器具本体1は、開口2が円形で、その開口2奥が窪み部3となる凹状体である。この凹状体は、全体が弾性部材であるポリエチレン製の一体成形品である。凹状体の窪み部3内の任意の窪み面には、斜め上方に向かって差口4が形成されている。前記開口周縁(x)の外縁には、開口に向かって拡開テーパ状のフランジ5（当接部）が形成され、該フランジ5の中間部には、リング状嵌合溝5aが形成されている。なお、弾性部材としては、嵌合溝5aが変形する程度の弾力性があれば他の合成樹脂でも良いし、また他の素材、例えばゴム素材等でも良い。また、一体成形のコストより低廉で済むのであれば、当接部となる前記フランジ5部分のみ弾性部材としても良い。
【００１５】
以上の器具本体1を取り付ける油圧ショベルには、燃料タンク給油口の前面部となるカバー部分に、前記凹状体の開口周縁(x)とほぼ同一サイズの円状切込み穴6（図２では器具本体1が嵌合しているので見えない）を穿設する。ここで、該切り込み穴6は、そこに前記器具1を嵌め込むものであり（この嵌合については次段で説明する）、その器具1（特に開口外縁のフランジ5）の素材が弾性部材であるポリエチレンである程度変形自在なので、切り込み穴6のサイズは、器具1の開口周縁(x)とほぼ同一となる程度の精度で良い。したがって、例えばホールソー等の簡易器具を用いて簡単に穿設すれば良い。
【００１６】
このように形成した切込穴6に対して、前記器具1の窪み部3から嵌め込んでいく。嵌め込んでいくと、切込穴6の周縁に、凹状体のフランジ5が当接するので、そこからさらに力を加えて押し込むと、フランジ一端側5bが変形して、切込穴6周縁がリング状溝5aに嵌り込む。これで嵌合状態が完了し、この状態で差口4からタンク給油口7をフィラチューブごと突出させることで、本形態例が意図するアクセス部が形成される。
【００１７】
なお、以上説明した形態例は、上述のように、本発明の一形態例を示したものであり、上記以外の構成、例えば、器具本体1となる凹状体の形状、嵌合溝の構造、差口の位置等を適宜変更してももちろん良いものである。
【産業上の利用可能性】
【００１８】
この発明は、外部にタンク給油口のアクセス部を形成させようとする種々の作業機械に適用可能である。
【図面の簡単な説明】
【００１９】
【図１】図１は本発明に係る器具の一形態例を示し、(a)は器具を開口上部から見た図、(b)は前図の形態を側方から見た図、(c)は油圧ショベルのカバーに器具が取り付けられた状態図である。
【図２】外部にタンク給油口アクセス部がある従来構造の説明図である。
【符号の説明】
【００２０】
1          器具本体（凹状体）
2          開口
3          窪み部
4          差口
5          フランジ（当接部）
5a         嵌合溝
6          切込穴
7          タンク給油口
x          開口周縁
【図１】
2009018637.tif 000003
【図２】
2009018637.tif 000004